(57)【要約】【課題】シンプルな構成によって畜舎内の温度変動を抑制でき、且つ安価に建築可能な畜舎を提供する。また、該畜舎を用いて、高品質の家畜を効率的に飼育する方法を提供する。【解決手段】左右略中央を貫通する中央通路７と該中央通路７と直交して左右に並設された横穴状の飼育舎８，…を有する畜舎本体１，畜舎本体１を囲繞する囲壁２，並びに囲壁２内に配置され、少なくとも飼育舎８，…を覆う覆土３を具えてなる畜舎である。覆土３によって畜舎本体１内の温度変動を抑制し、高品質の家畜を効率的に飼育し肥育することができる。地中及び覆土３内に設けられた吸気配管４を通り、更には熱交換器６によって地下水と熱交換されることによって、吸気は年間を通じてほぼ一定の温度に保たれ、より確実に温度変動を抑制できる。【選択図】図２
2010029118.tif 000002
【特許請求の範囲】
【請求項１】
（Ａ）左右略中央を貫通する中央通路と、該中央通路と直交して左右に並設された横穴状の飼育舎を有する畜舎本体
（Ｂ）畜舎本体を囲繞する囲壁
（Ｃ）囲壁内に配置され、少なくとも飼育舎を覆う覆土
上記（Ａ），（Ｂ）及び（Ｃ）を具えてなることを特徴とする畜舎。
【請求項２】
（Ｄ）略中央部が地中に埋設され、覆土内に延出された側の端部が畜舎本体内で開口し、他端が囲壁外の地上で開口する吸気配管
（Ｅ）覆土を貫通し、畜舎本体内と外気とを連通する排気配管
上記（Ｄ）及び（Ｅ）を具えてなることを特徴とする請求項１に記載の畜舎。
【請求項３】
吸気配管に、地下水と吸気との熱交換を行う熱交換器が取り付けられてなることを特徴とする請求項１又は請求項２に記載の畜舎。
【請求項４】
飼育舎が、前記中央通路の一端側から順に、母豚舎，分娩舎，仔豚舎及び肥育舎とされ、且つ、母豚舎と連通する中央通路の一部が幅広くされて設けられた給餌場上部の屋根が透光性材料で作成されてなると共に、前記給餌場上部の屋根を除く全ての屋根及び壁が覆土されてなることを特徴とする請求項１乃至請求項３の何れか１項に記載の畜舎。
【請求項５】
請求項１乃至請求項４の何れか１項に記載の畜舎で家畜を飼育することを特徴とする家畜の飼育方法。
【発明の詳細な説明】
【技術分野】
【０００１】
本発明は、畜舎、及び該畜舎を用いた家畜の飼育方法に関する。
【背景技術】
【０００２】
畜舎内で家畜を健康に飼育するためには、当該畜舎内の温度，湿度等の飼育環境を厳密に維持管理する必要があり、冷暖房機器又は送風機が頻用される。例えば、豚の生育に適した温度範囲は約１５乃至２５℃とされるが、豚の体熱によって豚舎内の温度は容易に上昇し、豚の体力を奪い疾病の要因となる。この温度上昇は、特に、夏場において顕著である。そのため、冷房機器によって温度調節を行い、又は送風機によって熱を逃し、豚舎内温度を前記温度範囲に保つ努力がなされている。
【０００３】
冷暖房機器又は送風機を稼動させるためにはエネルギーを必要し、特に多数の家畜を飼育する大型の畜舎では、甚大なエネルギーを消費する。エネルギー消費を抑制するために、例えば、吸水材料を含む吸水体が配されていることを特徴とする動物舎が開示されている（例えば、特許文献１参照）。高分子材料等の吸水材料を含む吸水体を動物舎の屋根や壁に配し、前記吸水材料に保持された水が日照のエネルギーにより気化する際に奪う気化熱を利用して、動物舎内の温度上昇を防止するものである。
【０００４】
【特許文献１】特開２００５−１３０７６０号公報
【発明の開示】
【発明が解決しようとする課題】
【０００５】
しかしながら、上記特許文献１に記載の動物舎は、吸水材料で保持可能な水量に限りがあり、対象とする動物舎が大型となるほど多量の吸水材料を必要とする。特許文献１に例示される犬小屋等の小型の動物舎には適用可能であるものの、大型の畜舎に適用するには極めて多量の吸水材料が必要であり、現実的ではない。吸水材料の漏出による環境汚染を防止するためには、例えば特許文献１に記載される様に、水透過性袋状体で吸水材料を包み可とう性網状体で固定する等の対策が必要であるが、吸水材料が動物舎の屋根や壁に直接接触しないから、熱伝導効率が低く効率的に冷却できない。また、多量の吸水材料を用いて吸水体を作成するために、多額の費用が必要である。
【０００６】
上記問題点に鑑み、本発明は、シンプルな構成によって、畜舎内の温度変動を抑制でき、且つ安価に建築可能な畜舎を提供することを課題とする。また、該畜舎を用いて、高品質の家畜を効率的に飼育する方法を提供する。
【課題を解決するための手段】
【０００７】
上記課題を解決するために、本発明の発明者は、地中温度がほぼ一定に保たれることに着目し、建築物を土で覆うことによって建築物内の温度変動を抑制できることを見出した。即ち、第１の発明は、
（Ａ）左右略中央を貫通する中央通路と、該中央通路と直交して左右に並設された横穴状の飼育舎を有する畜舎本体
（Ｂ）畜舎本体を囲繞する囲壁
（Ｃ）囲壁内に配置され、少なくとも飼育舎を覆う覆土
上記（Ａ），（Ｂ）及び（Ｃ）を具えてなることを特徴とする畜舎である。
【０００８】
第２の発明は、第１の発明に係る畜舎であって、
（Ｄ）略中央部が地中に埋設され、覆土内に延出された側の端部が畜舎本体内で開口し、他端が囲壁外の地上で開口する吸気配管
（Ｅ）覆土を貫通し、畜舎本体内と外気とを連通する排気配管
上記（Ｄ）及び（Ｅ）を具えてなる。
【０００９】
第３の発明は、第１又は第２の発明に係る畜舎であって、吸気配管に、地下水と吸気との熱交換を行う熱交換器が取り付けられてなる。
【００１０】
第４の発明は、飼育舎が、前記中央通路の一端側から順に、母豚舎，分娩舎，仔豚舎及び肥育舎とされ、且つ、母豚舎と連通する中央通路の一部が幅広くされて設けられた給餌場上部の屋根が透光性材料で作成されてなると共に、前記給餌場上部の屋根を除く全ての屋根及び壁が覆土されてなる第１乃至第３の発明の何れかに係る畜舎である。
【００１１】
第５の発明は、第１乃至第４の発明の何れかに係る畜舎で家畜を飼育する、家畜の飼育方法である。
【発明の効果】
【００１２】
本発明に係る畜舎は、屋根及び壁が覆土されているから、畜舎本体内の温度変動を抑制できる。それによって、冷暖房又は送風のためのエネルギーを節約することができる。
【００１３】
吸水材料等の効果な材料を必要とせず、シンプルな構成で安価に建築でき、家畜の畜舎への搬出入及び各房への移動が容易である。
【００１４】
覆土が防音効果を有するから、畜舎内の静寂を保ち又は雑音の影響を排して畜舎内に音楽を流すことによって、家畜のストレスを回避できる。より良好な飼育環境を保つことによって、高品質の畜産物を得ることができる。また、その一方で、家畜の啼き声を初めとする、畜舎内で生じる音が周囲に漏れ難く、近隣の住環境を侵すことを回避できる。畜舎本体が外から見えないため、外観も良い。
【００１５】
第２の発明に係る畜舎によれば、吸気配管を通った新鮮な吸気が畜舎本体内に導かれると共に、排気配管を介して畜舎本体内の空気が排出される。地中及び覆土内の温度は年間を通じてほぼ一定に保たれているから、吸気配管内を通った吸気も年間を通じてほぼ一定の温度に保たれていて、畜舎本体内の温度変動をより確実に抑制できる。畜舎本体内の温度が上昇し易い夏場において、特に顕著な効果を発揮する。
【００１６】
第３の発明に係る畜舎は、年間を通してほぼ一定の温度を保つ地下水との熱交換によって、吸気温度の季節間変動を更に確実に抑制できる。
【００１７】
第４の発明に係る畜舎は、母豚房と連通する給餌場のみが屋根から採光されているから、母豚は自身の意思で、明るい給餌場及び暗い母豚房を自由に行き来できる。母豚がストレスを受けず、健全に生活し、出産を迎えることができる。一方、出産直後から肉豚として出荷されるまでの間、仔豚は常に肥育に適した暗所に置かれるから、品質の高い肉豚を生産することができる。更に、母豚舎，分娩舎，仔豚舎及び肥育舎がこの順番で連設されているから、隣の飼育舎に移動させるだけで、仔豚の成育に適した環境を維持することができる。また、母豚舎及び肥育舎が畜舎の端部に配置されているから、母豚の畜舎への搬入及び肉豚の畜舎からの搬出が容易である。
【００１８】
第５の発明によれば、上記第１乃至第４の発明の何れかに係る畜舎を用いて飼育することにより、高品質の家畜を、効率良く飼育することが可能である。
【発明を実施するための最良の形態】
【００１９】
以下、本発明の実施の形態を、図面を参照しつつ詳しく説明するが、本発明はこれに限定されるものではない。
【００２０】
図１は、本発明に係る畜舎の平面断面図である。図２は、図１のＡ−Ａ線断面図である。図３は、図１のＢ−Ｂ線断面図である。また、図４は、本発明に係る畜舎の吸気口付近を示す要部側方視断面図である。尚、図中、白抜きの矢印は、気流又は水流の向きを示す。
【００２１】
本発明に係る畜舎は、図１乃至図３に示される様に、畜舎本体１，囲壁２及び覆土３を具えてなる。畜舎本体１は、左右略中央を貫通する中央通路７と、該中央通路７と直交して左右に並設された横穴状の飼育舎８，…を有している。囲壁２が前記畜舎本体１を囲繞する様に立設され、囲壁２内に配置された覆土３によって、少なくとも飼育舎８，…が覆われている。
【００２２】
畜舎本体１は、鉄筋コンクリート造の建築物であって、その基礎及び一部部材を除き、地上に建築されている。畜舎本体１は、地下に建設されていても良いが、畜舎本体１の建築及び畜舎本体１への家畜の搬出入を容易ならしめるために、地上に建築されることが好ましい。
【００２３】
略平板状のコンクリート製枠材が、その一部を地中に埋設されて連設され、囲壁２が形成されている。該囲壁２によって、畜舎本体１は囲繞されている。囲壁２の材質は、覆土３を支えるに充分な強度を有するものであれば、特に限定されない。また、囲壁２の形状は特に限定されず、例えば、略Ｌ字状断面を有する枠材が、該枠材の一面を地面に接する様にして載置されて連設されていても良く、又は囲壁２が一体的に打設されて形成されていても良い。
【００２４】
囲壁２の内部には、覆土３が配置され前記囲壁２内に保持されていて、覆土３によって、畜舎本体１の屋根及び壁が覆われている。覆土３は、畜舎本体１内の温度変動を抑制する。覆土３の上端面は、外方へ向けてなだらかな傾斜で徐々に低くされていて、覆土３に吸収されなかった余剰の雨水は囲壁２外へ流出するが、覆土３は流出し難い構成とされている。
【００２５】
覆土３によって、必ずしも、畜舎本体１の屋根及び壁全体が覆われている必要は無く、少なくとも中央通路７を除く飼育舎８，…の屋根及び外壁が覆われていれば良い。好ましくは、給餌場７ａ上部の屋根が透光性材料で作成され、前記給餌場７ａ上部の屋根を除く全ての屋根及び壁が覆土されていることが好ましい。この場合において、透光性材料の材質は特に限定されず、例えば、ポリメタクリル酸エステル等の合成樹脂又はガラスを用いることができる。
【００２６】
覆土３の量は、囲壁２及び畜舎本体１が覆土３の荷重に堪えられれば特に限定されないが、何れの箇所においても１．０ｍ以上３．０ｍ以下とされていることが好ましい。覆土３が１．０ｍ以上とされることによって、温度変動の抑制と防音の充分な能力を発揮できるからであり、また、覆土３が３．０ｍ以下であれば、その荷重に堪えられる畜舎本体１を建築することが容易だからである。
【００２７】
畜舎本体１の左右略中央には、畜舎本体を貫通する中央通路７が設けられている。中央通路７に連通する多数の飼育舎８，…が、前記中央通路７と直交するようにして、左右に並設されている。飼育舎８，…の床下には排尿ピット９，９が穿設され、飼育舎８，…の床の一部は簀の子張りとされていて、家畜の放出した屎尿を集め効率的に廃棄できる構成とされている。
【００２８】
飼育舎８，…は、中央通路７と連通する部分のみが開口した、一端開口の構造とされている。飼育舎８，…は、中央通路７の手前側の一端から順に、母豚舎８１，…，分娩舎８２，…，仔豚舎８３，…，及び肥育舎８４，…とされている。中央通路７の母豚舎８１，…と連通する部分は幅広くされ、給餌場７ａが設けられていて、更に母豚舎８１，…と給餌場７ａの間に排便場７ｂが設けられている。
【００２９】
母豚は、母豚舎８１，…，排便場７ｂ，及び給餌場７ａの間を自由に行き来できる。母豚自身の意思に任せて、給餌場７ａにおいて摂食し、歩行して運動し、又は日光浴をすることができる。苦痛やストレスによる異常行動及びそれによって惹起される感染症等の原因とされ、動物愛護の立場から問題視されているストール飼いを回避することができる。
【００３０】
産期の近付いた母豚は、隣接する分娩舎８２，…の分娩房８２ｅ，…に移され、食事等の世話を受けて、安全に出産を行うことができる。産後、母豚は母豚舎８１，…へ移されて産前同様の生活を送り、一方仔豚は仔豚舎８３，…に移される。これによって、仔豚が母豚に押し潰されて圧死する事故が、回避される。分娩舎８２，…は柵，壁材等の仕切り材１０，…によって仕切られていて、分娩房８２ｅ，…の他、雄豚を収容する雄豚房８２ａ，…，雌豚を一時的に収容し人工授精を行う人工授精雌豚房８２ｂ，…，雄豚から精液を採取する採取室８２ｃ，…，及び精液の希釈，瓶詰め，冷蔵保存等を行う精液処理室８２ｄ，…が設けられている。これら全てが分娩舎８２，…内に設けられることによって、効率的な人工授精が可能とされている。
【００３１】
仔豚舎８３，…には、仕切り材１０，…によって仕切られた、仔豚房８３ａ，…が設けられている。仔豚舎８３，…に移された仔豚は、個別の仔豚房８３ａ，…に入れられて飼育される。これによって、仔豚同士で餌を奪い合うことが回避され、何れの仔豚にも充分な餌を与えることができる。また、スペースの限られた仔豚房８３ａ，…で運動をさせずに飼育するから、短期間で成長させ肥え太らせることができる。
【００３２】
肥育舎８４，…には、仕切り材１０，…で仕切られた肥育房８４ａ，…が設けられている。肥育房８４ａ，…は、仔豚房８３ａ，…よりも広くされている。肥育房８４ａ，…は、必ずしも全てが等しい広さとされていることに限られず、広さの異なる肥育房８４ａ，…が設けられていても良い。好ましくは、肥育房８４ａ，…は、仔豚舎８３，…に近い側の肥育舎８４，…から順次広くなる様に設けられる。仔豚舎８３，…で充分に肥育された豚は、その後の成長に伴って肥育舎８４，…へ移され、体躯に適した広さの肥育房８４ａ，…で飼育され出荷される。
【００３３】
本発明の畜舎は、叙上の通り、豚の成長や出産に適した飼育舎８，…が、区画化されて多数設けられている。しかも、順次隣接する区画の飼育舎８，…に豚を移すだけで、豚の成長に合わせて、適した飼育環境を与えることができる。母豚舎８１，…及び肥育舎８４，…が畜舎の端部に配置されているから、購入した母豚を畜舎内に搬入し、又は出荷のために肉豚を搬出することが容易である。これらの理由により、効率的な養豚が可能となる。
【００３４】
略中央部が地中に埋設され、覆土３内に延出された側の端部が畜舎本体１内で開口し、他端が囲壁２外の地上で開口する吸気配管４が設けられている。吸気配管４の一端は、囲壁２外部の地上に延出された開口端が吸気口４ａとされ、吸気配管４の他端は畜舎本体１内で開口している。吸気口４ａ及び畜舎本体１内開口付近にはそれぞれファン４ｂ，４ｂが設けられていて、該吸気口４ａから吸入された吸気は、吸気配管４を通って畜舎本体１内に導かれ、多数穿孔されたシート１１を介して飼育舎に至る構成とされている。シート１１によって圧力差が解消され、畜舎本体１内各所に、均等な圧力で吸気される構成とされている。
【００３５】
畜舎本体１内から屋根及び覆土３を通り、覆土３上方に開口端を有する排気配管５，…が設けられている。排気配管５，…の略中央部にはファン５ａ，…が設けられていて、該ファン５ａ，…によって、畜舎本体１内の空気は屋外に排出される構成とされている。
【００３６】
上記の様に構成した本発明の畜舎においては、年間を通じてほぼ一定の温度に保たれる地中及び覆土３内に吸気配管４が設けられていて、吸気配管４内を通る吸気も年間を通じてほぼ一定の温度に保たれる。当該吸気が畜舎本体１に吸入され、畜舎本体１内の空気が排気配管５，…から排出されることによって、覆土３による効果と相俟って、畜舎本体１内の温度変動はより確実に抑制される。
【００３７】
吸気配管４の吸気口４ａ付近には、図２乃至図４に示される様に、熱交換器６が、その外周面を吸気配管４の内周面に当接する様にして設けられている。熱交換器６には、地下水の水流入口６ａ及び水流出口６ｂが突設されると共に、吸気流方向の貫通孔６ｃ，…が穿設されている。地下水が、図示しないポンプによって水流入口６ａから流入し、水流出口６ｂから流出する構成とされていて、吸気は貫通孔６ｃ，…を通る間に地下水と熱交換される。地下水は、年間を通じてほぼ一定の温度に保たれているから、外気温の高い夏季にあっては冷房の、対して外気温の低い冬季にあっては暖房の効果が得られる。熱交換後、水流出口６ｂから流出した地下水は、畜舎本体１内に通じる配管を通し、家畜用の飲用水として用いることもできる。熱交換器６の取付位置は特に限定されず、吸気配管４の任意位置であってよいが、地面を深く掘削する必要が無く設置容易な吸気口４ａ付近であることが好ましい。
【００３８】
叙上の通り、本発明の畜舎及び該畜舎を用いた飼育方法は豚の効率的な飼育及び肥育に有用であるが、それに限られず、牛，鶏等の豚以外の家畜の肥育にも適用可能である。
【図面の簡単な説明】
【００３９】
【図１】本発明に係る畜舎の平面断面図である。
【図２】図１のＡ−Ａ線断面図である。
【図３】図１のＢ−Ｂ線断面図である。
【図４】本発明に係る畜舎の吸気口付近を示す要部側方視断面図である。
【符号の説明】
【００４０】
１  畜舎本体
２  囲壁
３  覆土
４  吸気配管
４ａ  吸気口
４ｂ  ファン
５  排気配管
５ａ  ファン
６  熱交換器
６ａ  水流入口
６ｂ  水流出口
６ｃ  貫通孔
７  中央通路
７ａ  給餌場
７ｂ  排便場
８  飼育舎
８１  母豚舎
８１ａ  母豚房
８２  分娩舎
８２ａ  雄豚房
８２ｂ  人工授精雌豚房
８２ｃ  採取室
８２ｄ  精液処理室
８２ｅ  分娩房
８３  仔豚舎
８３ａ  仔豚房
８４  肥育舎
８４ａ  肥育房
９  排尿ピット
１０  仕切り材
１１  シート
【図１】
2010029118.tif 000003
【図２】
2010029118.tif 000004
【図３】
2010029118.tif 000005
【図４】
2010029118.tif 000006